(57)【要約】【課題】起倒用側板の外面にカード差しなどを設けた場合であっても、簡単にロック部材でロックできる。【解決手段】折り畳みコンテナ１の起倒用側板９の下端部に外側方に向けて下突縁部１０を突設する。下突縁部１０に上孔１１を形成し、起倒用側板９が垂直姿勢となった状態で下突縁部１０の下面が載置される底板の外端部の部位に上記上孔１１と上下方向に連通する下孔１２を形成する。起倒用側板９が垂直姿勢となった状態で上下に連通する上孔１１と下孔１２との後側の内面をほぼ連続させると共に上に行くほど手前側となるように傾斜させ、上端が頭部１４となり且つ下端に引掛け部１５を備えたロック部材１６を上下に連通する上孔１１と下孔１２とに挿入して上孔１１の上面側に頭部１４を位置させると共に下孔１２の下面側に引掛け部１５を位置させてロックする。【選択図】図１
2008290753.tif 000002
【特許請求の範囲】
【請求項１】
矩形状の底板と、底板の上方に配置した矩形枠状の口枠と、底板の対向する一対の辺と口枠の対向する一対の辺との間にそれぞれ配置した折り畳み用側板と、底板の対向する他の一対の辺と口枠の対向する他の一対の辺との間にそれぞれ配置した起倒用側板と、口枠に開閉自在に取付けた蓋板とを具備し、起倒用側板の上端を口枠に回動自在に連結して起倒用側板を起倒自在とし、折り畳み用側板を上半分の上側板と下半分の下側板とで構成して上側板の上端を口枠に回転自在に連結すると共に下側板の下端を底板に回転自在に連結し且つ上側板の下端と下側板の上端を回転自在に連結した折り畳みコンテナにおいて、起倒用側板の下端部に外側方に向けて下突縁部を突設し、該下突縁部に上孔を形成し、起倒用側板が垂直姿勢となった状態で下突縁部の下面が載置される底板の外端部の部位に上記上孔と上下方向に連通する下孔を形成し、上記起倒用側板が垂直姿勢となった状態で上下に連通する上孔と下孔との後側の内面をほぼ連続させると共に上に行くほど手前側となるように傾斜させ、上端が頭部となり且つ下端に引掛け部を備えたロック部材を上下に連通する上孔と下孔とに挿入して上孔の上面側に頭部を位置させると共に下孔の下面側に引掛け部を位置させてロックすることを特徴とする折り畳みコンテナにおける起倒用側板のロック構造。
【請求項２】
起倒用側板が垂直姿勢となった状態で上下に連通する上孔と下孔との前側の内面をほぼ垂直に連続させて成ることを特徴とする請求項１記載の折り畳みコンテナにおける起倒用側板のロック構造。
【発明の詳細な説明】
【技術分野】
【０００１】
本発明は、折り畳みコンテナにおける起倒用側板のロック構造に関するものである。
【背景技術】
【０００２】
従来から、矩形状の底板と、底板の上方に配置した矩形枠状の口枠と、底板の対向する一対の辺と口枠の対向する一対の辺との間にそれぞれ配置した折り畳み用側板と、底板の対向する他の一対の辺と口枠の対向する他の一対の辺との間にそれぞれ配置した起倒用側板と、口枠に開閉自在に取付けた蓋板とを具備し、起倒用側板の上端を口枠に回動自在に連結して起倒用側板を起倒自在とし、折り畳み用側板を上半分の上側板と下半分の下側板とで構成して上側板の上端を口枠に回転自在に連結すると共に下側板の下端を底板に回転自在に連結し且つ上側板の下端と下側板の上端を回転自在に連結した折り畳みコンテナが知られている。
【０００３】
従来、蓋板は口枠に対してロック部材によりロックするようになっているが、起倒用側板は底板に対してロックしていないのが一般的であった。
【０００４】
上記のような折り畳みコンテナにおいて、箱状に組み立てて内部に収納物を収納し、口枠を蓋板で閉じた状態において、起倒用側板を外から押して起倒用側板が内側に回動することで、折り畳みコンテナ内の収納物を取り出すことが可能となる。このため、折り畳みコンテナに収納物を収納して保管や搬送している場合に、起倒用側板を回動して収納物が盗まれるおそれがある。
【０００５】
一方、２部材に連通する孔を設けて該連通する孔に特許文献１や特許文献２に示されるようなロック部材でロックするものが知られている。このロック部材は上端が頭部となり且つ下端に引掛け部を備えたもので、上下に連通する孔にロック部材を挿通し上の孔の面側に頭部を位置させると共に下の孔の下面側に引掛け部を位置させてロックするようになっている。
【０００６】
そこで、起倒用側板の面板の下端部に外側方に向けて下突縁部を突設し、該下突縁部に上孔を形成し、起倒用側板が垂直姿勢となった状態で下突縁部の下面が載置される底板の外端部の部位に上記上孔と上下方向に連通する下孔を形成し、上端が頭部となり且つ下端に引掛け部を備えた特許文献１や特許文献２に示されるようなロック部材を起倒用側板の外面に沿わせて上方から下方に差込操作して上下に連通する上孔と下孔とに挿入して上孔の上面側に頭部を位置させると共に下孔の下面側に引掛け部を位置させてロックすることにより、収納物の盗難防止を行うようにすることが考えられる。
【０００７】
しかしながら、上記の特許文献１や特許文献２に示されたロック部材を用いて起倒用側板の下端部を底板にロックしようとしても、起倒用側板の面板が邪魔になってロック部材によるロック作業がし難いという問題があり、特に、起倒用側板の面板部分には外面にカード差しを設けたり、あるいは、面板の外面部分に面板と一体にリブを突設したりすることがあるが、このような場合には、ロック部材を起倒用側板の面板の外面に沿って上方から下方に差し込んで連結しようとしても、カード差しやリブが邪魔になってロック部材の差込み作業ができないという問題がある。
【特許文献１】実開平４−１１７７１１号公報
【特許文献２】実開平５−９６５２４号公報
【発明の開示】
【発明が解決しようとする課題】
【０００８】
本発明は上記の従来の問題点に鑑みて発明したものであって、折り畳みコンテナを組み立てた状態で起倒用側板を底板にロック部材によりロックするのが簡単且つ確実にでき、特に、起倒用側板の外面にカード差しなどを設けた場合であっても、簡単にロック部材でロックできる折り畳みコンテナを提供することを課題とするものである。
【課題を解決するための手段】
【０００９】
上記課題を解決するために本発明に係る折り畳みコンテナにおける起倒用側板のロック構造は、矩形状の底板２と、底板２の上方に配置した矩形枠状の口枠３と、底板２の対向する一対の辺と口枠３の対向する一対の辺との間にそれぞれ配置した折り畳み用側板４と、底板２の対向する他の一対の辺と口枠３の対向する他の一対の辺との間にそれぞれ配置した起倒用側板９と、口枠に開閉自在に取付けた蓋板７とを具備し、起倒用側板９の上端を口枠３に回動自在に連結して起倒用側板９を起倒自在とし、折り畳み用側板４を上半分の上側板５と下半分の下側板６とで構成して上側板５の上端を口枠３に回転自在に連結すると共に下側板６の下端を底板２に回転自在に連結し且つ上側板５の下端と下側板６の上端を回転自在に連結した折り畳みコンテナ１において、起倒用側板９の下端部に外側方に向けて下突縁部１０を突設し、該下突縁部１０に上孔１１を形成し、起倒用側板９が垂直姿勢となった状態で下突縁部１０の下面が載置される底板の外端部の部位に上記上孔１１と上下方向に連通する下孔１２を形成し、上記起倒用側板９が垂直姿勢となった状態で上下に連通する上孔１１と下孔１２との後側の内面をほぼ連続させると共に上に行くほど手前側となるように傾斜させ、上端が頭部１４となり且つ下端に引掛け部１５を備えたロック部材１６を上下に連通する上孔１１と下孔１２とに挿入して上孔１１の上面側に頭部１４を位置させると共に下孔１２の下面側に引掛け部１５を位置させてロックすることを特徴とするものである。
【００１０】
起倒用側板９が垂直姿勢となった状態で上下に連通する上孔１１と下孔１２にロック部材１６を挿入するに当たって、上下に連通する上孔１１と下孔１２との後側の内面をほぼ連続させると共に上に行くほど手前側となるように傾斜しているので、ロック部材１６を手前側程上となるように傾斜させた状態で挿入することができて、起倒用側板９の外面にカード差し２５が設けてあっても、該カード差し２５に邪魔されることなくロック部材１６を挿入して簡単に起倒用側板９を底板２にロックすることができて、収納物の盗難を防止することができる。
【００１１】
また、起倒用側板９が垂直姿勢となった状態で上下に連通する上孔１１と下孔１２との前側の内面をほぼ垂直に連続させることが好ましい。このような構成とすることで、
このような構成とすることで、斜めに傾斜させて挿入したロック部材を挿入後に、上下に連通する上孔１１と下孔１２との前側の内面のほぼ垂直に連続する部分に沿わせてロック部材１６を垂直姿勢にすることができ、ロック状態で頭部１４が傾かないようにできる。
【発明の効果】
【００１２】
本発明の請求項１記載の発明にあっては、起倒用側板が垂直姿勢となった状態で上下に連通する上孔と下孔との後側の内面をほぼ連続させると共に上に行くほど手前側となるように傾斜させてあるので起倒用側板の外面側に邪魔されず、ロック部材を斜めにして挿入することで簡単且つ確実ロック作業ができる。
【００１３】
また、請求項２記載の発明にあっては、上記請求項１記載の発明の効果に加え、起倒用側板が垂直姿勢となった状態で上下に連通する上孔と下孔との前側の内面をほぼ垂直に連続させてあるので、ロック部材を挿入後に、上下に連通する上孔と下孔との前側の内面のほぼ垂直に連続する部分に沿わせてロック部材を垂直姿勢にすることができ、ロック状態で頭部が傾かず、外観が良くなる。
【発明を実施するための最良の形態】
【００１４】
以下、本発明を添付図面に示す実施形態に基いて説明する。
【００１５】
本実施形態の折り畳みコンテナ１は、図１３に示すように、合成樹脂により形成した矩形状の底板２と、底板２の上方に配置した合成樹脂により形成した矩形枠状の口枠３と、底板２の対向する一対の辺と口枠３の対向する一対の辺との間にそれぞれ配置した折り畳み用側板４と、底板２の対向する他の一対の辺と口枠３の対向する他の一対の辺との間にそれぞれ配置した合成樹脂により形成した起倒用側板９、口枠３に回動自在に取付けた蓋板７とを具備している。
【００１６】
折り畳み用側板４は合成樹脂により形成した上半分の上側板５と、合成樹脂により形成した下半分の下側板６とで構成してあり、上側板５の下端と下側板６の上端とが中間軸支部８により回動自在に連結してあって折り畳み用側板４は上下方向の中間部分で内側に折り畳み自在となっている。
【００１７】
底板２の対向する一対の辺と口枠３の対向する一対の辺との間にそれぞれ上記の構成の折り畳み用側板４が配置されて、中間部分で折り畳み自在となった折り畳み用側板４の上側板５の上端を矩形状（図に示す実施形態では長方形状）の口枠３の対向する一対の辺（図においては対向する長辺）に上軸支部３１により回動自在に連結してあると共に、下側板６の下端を矩形状（図に示す実施形態では長方形状）の底板２の対向する一対の辺（図においては対向する長辺）に下軸支部３２により回動自在に連結してある。
【００１８】
口枠３の対向する他の一対の辺（実施形態では短辺）にはそれぞれ起倒用側板９の上端が上軸部３３により回動自在に連結してあって、起倒用側板９が起倒自在となっている。
【００１９】
矩形枠状をした口枠３の上面には開口部を開閉する合成樹脂製の２枚の蓋板７を軸支部３ａにより回動自在に取付けてある。２枚の蓋板７の各先端には互いに重複する重複片を設けて、該重複片に相互に噛み合って係合する凹凸係合部（図示せず）をそれぞれ設ける。
【００２０】
更に、蓋板７の側端部の口枠３に重なる部分に孔２２が設けてあり、蓋板７で口枠３の開口部を閉じて蓋板７の側端部を口枠３に重ねた状態で、上記蓋板７に設けた孔２２が口枠３の上面部に設けた孔２３と上下に連通して蓋用ロック孔２４を構成するようになっている。
【００２１】
起倒用側板９は面板９ａの外周縁部に外側方に向けて周突縁部２６が一体に突設してある。この周突縁部２６は、起倒用側板９の下端縁から外側方に一体に突設した下突縁部１０と、起倒用側板９の上端縁から外側方に一体に突設した上突縁部２７と、起倒用側板９の両側端縁から外側方に一体に突設した側突縁部２８とで構成してある。
【００２２】
図８に示すように下突縁部１０には下係止部３８が設けてあり、該下係止部３８は図５に示すようにＬ字状をしており、下突縁部１０の上記一対の下係止部３８の間の部分（つまり下突縁部１０の中央部）が下方に開口した中央凹部１７となっており、下突縁部１０の上面片の中央凹部１７の上底部に該当する部位に上孔１１が形成してある。
【００２３】
底板２の上面外周部には突縁部３０が一体に突設してあり、底板２の短辺の突縁部３０の内面部の中央部においては図８に示すように底板２の一部が上方に突出した支持突部１８（この支持突部１８の下面側は下方に開口した凹部となっている）となっており、支持突部１８に下孔１２が設けてある。また、短辺側の突縁部３０の支持突部１８の両側方の部位から内方に向けて下被係止部３９が突設してある。
【００２４】
また、起倒用側板９の両側端部には側係止部４０が設けてあり、また、折り畳み用側板４を構成する上側板５と下側板６との両端部にはそれぞれ側被係止部４１が設けてある。
【００２５】
そして、折り畳み用側板４を起立させて垂直姿勢にした状態で、口枠３と起倒用側板９の上端部とを軸支する軸部を中心に起倒用側板９を回動して起倒用側板９を起立させた場合、起倒用側板９の下突縁部１０の下面が底板２の上面側に当接すると共に、起倒用側板９の両側端面が垂直姿勢となっている折り畳み用側板４の端部内面に当接し、更に、下係止部３８が下被係止部３９に着脱自在に係止すると共に、側係止部４０が側被係止部４１に係止して起倒用側板９と折り畳み用側板４とが着脱自在に連結される。
【００２６】
この場合、下突縁部１０の中央部分においては、中央凹部１７の上底部である上面片が支持突部１８上に載置され、上孔１１と下孔１２とが上下に連通するようになっている。
【００２７】
上記上下に連通する上孔１１と下孔１２とでロック孔１３が形成されるものであり、該ロック孔１３は、起倒用側板９の起立姿勢をロックする時にロック部材１６を挿入するための孔として用いるものである。
【００２８】
起倒用側板９を上記のように起立させて垂直姿勢とした状態で上下に連通する上孔１１と下孔１２によりロック孔１３を形成するのであるが、このロック孔１３を構成する上下に連通する上孔１１の後側の内面と下孔１２の後側の内面（つまりロック孔１３の後側の内面）は図７（ａ）に示すように上に行くほど手前側となるように傾斜させてある。
【００２９】
また、ロック孔１３を構成する上下に連通する上孔１１の前側の内面と下孔１２の前側の内面（つまりロック孔１３の前側の内面）は図７（ａ）に示すようにほぼ垂直に連続する面となっている。
【００３０】
なお、添付図面に示す実施形態では上孔１１と下孔１２とで構成したロック孔１３は前後よりも左右方向が長い横長孔となっており、ロック孔１３を構成する上下に連通する上孔１１の左右両側の内面と下孔１２の左右両側の内面（つまりロック孔１３の左右両側の内面）は図７（ｂ）に示すようにほぼ垂直に連続する面となっている。
【００３１】
上記のような構成の折り畳みコンテナ１は、使用に当たっては、両折り畳み用側板４を起立させて垂直姿勢とし、次いで、両起倒用側板９を起立させて箱形状に組み立てた状態で、蓋板７を開けて、内部に収納物を収納し、次に蓋板７を閉じることで、収納物を収納した状態で搬送したり、保管したりするものである。また、収納物を収納しない非収納時には、両起倒用側板９を回動して略水平姿勢として口枠３内に位置させ、次に、両起倒用側板９を中間軸支部８を中心に内側に折り畳むことで、全体をコンパクトに折り畳むことができる。
【００３２】
ところで、箱形状に組み立てて収納物を収納した状態で、蓋板７及び起倒用側板９を回動して開くことができないように、ロックして保管及び搬送する場合がある。
【００３３】
この場合は、蓋板７を口枠３にロック部材１６により連結して蓋板７が開かないようにロックし、また、起倒用側板９を底板２にロック部材１６により連結して起倒用側板９が開かないようにロックするものである。
【００３４】
すなわち、蓋板７を閉じた状態で、上下に連通する孔２２、６２よりなる蓋用ロック孔２４に図１３に示すようなロック部材１６を挿通してロックする。
【００３５】
また、起倒用側板９を起立させて略垂直姿勢にした状態で、上下に連通する上孔１１と下孔１２とで構成するロック孔１３に図１１に示すようなロック部材１６を挿通してロックする。
【００３６】
ロック部材１６は合成樹脂により一体に形成されたもので、上端に頭部１４を備え、下端に引掛け部１５を備えている。図１４に示す実施形態においては、幅広となった頭部１４から軸部１９を一体に突設し、軸部１９の先端部の両側面から弾性を有する引掛け部１５がそれぞれ斜め上方に向けて一体に突設してあってＶ字状となっている。また、軸部１９の頭部１４からの突出基部の前後面に前膨出部２０と後膨出部２１とが一体に突出してあり、前後膨出部２０、２１の上部はロック孔１３の上端部の大きさとほぼ同じ大きさとなっている。また、前後膨出部２０、２１の下部の前後はそれぞれ傾斜面となっていて、前後膨出部２０、２１の下部の前面はそれぞれ下に行くほど前面又は後面側に向けて下り傾斜しており、更に、前後膨出部２０、６０の下部の左右はそれぞれ傾斜面となっていて、前後膨出部２０、２１の下部の左右側面はそれぞれ下に行くほど左又は右の側面側に向けて下り傾斜している。
【００３７】
上記のような構成のロック部材１６を蓋用ロック孔２４に挿通するには、ロック部材１６の軸部１９の下端部のＶ字状をした引掛け部１５を蓋用ロック孔２４に上方から差し込むものであり、引掛け部１５が弾性変形して両側の引掛け部１５の上端同士が近づくように弾性変形しながら蓋用ロック孔２４を通過し、引掛け部１５の上端が蓋用ロック孔２４の下端を通過すると元のＶ字状に弾性復元し、引っ掛け部１５が上方への抜け止めとなる。これにより、孔２２の上面側に頭部１４が位置すると共に孔２３の下面側に引掛け部１５が位置しロックされることになる。
【００３８】
この場合、蓋用ロック孔２４の上方には障害物がないので、蓋用ロック孔２４の真上からロック部材１６を蓋用ロック孔２４に差し込む作業が行える。
【００３９】
一方、ロック部材１６をロック孔１３に挿通するには、ロック孔１３の上孔１１が面板９ａの下端から外側方に突出した下突縁部１０に設けてあるため、上孔１１の上方のすぐ後方に面板９ａが位置することになり、蓋用ロック孔２４にロック部材１６を挿通する場合のように、ロック部材１６を手で持ってロック孔１３の真上から挿通する作業をしようとすると、面板９ａが邪魔になって真上からの挿通作業がきわめてしにくく、特に、図１１（ａ）のように面板９ａの外面にカード差し２５などの突出装備品を設けたり、あるいは面板９ａの外面にリブを一体に突設する場合があるが、このような場合など、カード差し２５などの突出装備品やリブが面板９ａよりも更に前方に突出するため、ロック部材１６の差し込みに当たって、カード差し２５などの突出装備品やリブに作業者の手やロック部材１６が当たって実質的に差し込めなくなるが、本発明においては、上下に連通する上孔１１と下孔１２との後側の内面をほぼ連続させると共に上に行くほど手前側となるように傾斜させてあるので、図１２に示すように、ロック部材１６を手前側程上となるように傾斜させた状態で挿入することができ、これにより、面板９ａの外面やカード差し２５に邪魔されることなく、ロック部材１６の軸部１９の下端部のＶ字状をした引掛け部１５をロック孔１３に斜め上方から差し込み、引掛け部１５が弾性変形して両側の引掛け部１５の上端同士が近づくように弾性変形しながらロック孔１３を通過し、引掛け部１５の上端がロック孔１３の下端を通過すると元のＶ字状に弾性復元し、引っ掛け部１５が上方への抜け止めとなり、これにより、上孔１１の上面側に頭部１４が位置すると共に下孔１２の下面側に引掛け部１５が位置しロックされることになる。
【００４０】
このようしてロック部材１６をロック孔１３に挿通することで起倒用側板９を底板２に連結することで起倒用側板９が回動しないようにロックするものである。
【００４１】
ここで、起倒用側板９が垂直姿勢となった状態で上下に連通する上孔１１と下孔１２との前側の内面をほぼ垂直に連続させることで、斜めに傾斜させて挿入したロック部材を挿入後に、上下に連通する上孔１１と下孔１２との前側の内面のほぼ垂直に連続する部分に沿わせてロック部材１６を垂直姿勢にすることができ、ロック状態で頭部１４が傾かないようにできることになり、外観が良くなる。
【００４２】
ロック部材１６を垂直姿勢にした場合、軸部１９の頭部１４からの突出基部の前後面に突出した前膨出部２０の前面と後膨出部２１の後面とがロック孔１３の上部である上孔１１の内部の内前面と後内面とに当接又は近接対向してロック部材１６の垂直姿勢を保持し、ロック部材１６が傾いてがたつかないようになっている。
【００４３】
上記ロック部材１６によるロックを解除するには、合成樹脂製のロック部材１６の軸部１９の頭部１４からの突出基部を図１５のようにカッタにより切断することで、自重で又は軸部１９の上端の切断面を上方から押すことで、図１５（ａ）のように支持突部１８の下面側の下方に開口した凹部から底板２外に排出したり、あるいは、図１５（ｂ）に示すように口枠３に設けた外側方に開口した凹部から口枠３の外側方に排出したりする。
【図面の簡単な説明】
【００４４】
【図１】本発明の折り畳みコンテナを箱状に組み立てた状態の斜視図である。
【図２】同上の箱状に組み立てた状態の側面図である。
【図３】同上の折り畳み用側板の口枠及び底板への軸支部分の断面図である。
【図４】同上の起倒用側板の口枠への軸支部分の拡大断面図である。
【図５】同上の起倒用側板の下端部の下係止部を底板に設けた下被係止部に係止する部分の拡大断面図である。
【図６】同上の起倒用側板の側端部の側係止部を折り畳み用側板の側被係止部に係止する部分の拡大断面図である。
【図７】（ａ）は同上の起倒用側板の上孔と底板の下孔とが上下に連通してロック用孔を構成している状態の拡大側面断面図であり、（ｂ）は拡大正面断面図である。
【図８】同上の起倒用側板と底板とを分解側断面図である。
【図９】（ａ）は同上の蓋板の孔と口枠の孔とが上下に連通して蓋用ロック孔を構成している状態の拡大側面断面図であり、（ｂ）は拡大正面断面図である。
【図１０】同上の折り畳みコンテナをロック用部材でロックした状態の斜視図である。
【図１１】（ａ）は同上のロック用孔にロック用部材を挿通してロックした状態を示す正面断面図であり、（ｂ）は側面断面図である。
【図１２】同上のロック用孔にロック用部材を斜めにして差し込んでいる状態を示す説明図である。
【図１３】（ａ）は同上の蓋用ロック孔にロック用部材を挿通してロックした状態を示す正面断面図であり、（ｂ）は側面断面図である。
【図１４】同上に用いるロック用部材を示し、（ａ）は側面図であり、（ｂ）は正面図であり、（ｃ）は下面図である。
【図１５】（ａ）は同上のロック用孔からロック用部材を取り外す説明図であり、（ｂ）は蓋用ロック孔からロック用部材を取り外す説明図である。
【符号の説明】
【００４５】
１  折り畳みコンテナ
２  底板
３  口枠
４  折り畳み用側板
５  上側板
６  下側板
９  起倒用側板
１０  下突縁部
１１  上孔
１２  下孔
１４  頭部
１５  引掛け部
１６  ロック部材
【図１】
2008290753.tif 000003
【図２】
2008290753.tif 000004
【図３】
2008290753.tif 000005
【図４】
2008290753.tif 000006
【図５】
2008290753.tif 000007
【図６】
2008290753.tif 000008
【図７】
2008290753.tif 000009
【図８】
2008290753.tif 000010
【図９】
2008290753.tif 000011
【図１０】
2008290753.tif 000012
【図１１】
2008290753.tif 000013
【図１２】
2008290753.tif 000014
【図１３】
2008290753.tif 000015
【図１４】
2008290753.tif 000016
【図１５】
2008290753.tif 000017